(57)【要約】本発明のＷＣＤＭＡ網における短文メッセージサービスセンターの住所処理方法に関し、運用制御部が各短文メッセージサービスセンターから短文メッセージ処理事項の伝送を受けて各短文メッセージサービスセンター等の負荷集中状態を判断し所定の運用メッセージを発生させる負荷集中判断段階と；移動電話交換機が移動端末から伝送した短文メッセージを受信し、運用メッセージに従って短文メッセージの伝送経路を設定する経路設定段階と；移動電話交換機が経路設定段階の結果により移動端末から伝送された短文メッセージを、伝送経路に従って該当する短文メッセージサービスセンターに伝送する最適伝送段階となされた方法を提供することにより、加入者の呼習性上特定ＳＭＳＣにメッセージが集中する状況が発生してＳＭＳＣ分散において不均衡がなされる場合、一つのＳＭＳＣの収容加入者のうち一部を他のＳＭＳＣに収容するよう変更することにより、ＳＣ収容に対する予測ができ、さらに民願（請願）及び障害発生の時に能動的に対処することを容易にする。
2005536946.tif 000002
【特許請求の範囲】
【請求項１】
呼の交換を行う移動電話交換機と、短文メッセージサービスを提供する短文メッセージサービスセンターと、前記短文メッセージサービスセンターを運用管理する運用制御部を含む移動通信網の短文メッセージ処理方法において、
前記運用制御部が前記各短文メッセージサービスセンターから短文メッセージ処理事項の伝送を受け、各短文メッセージサービスセンターの負荷集中状態を判断して所定の運用メッセージを発生させる負荷集中判断段階と；
前記移動電話交換機が移動端末から伝送した短文メッセージを受信し、前記運用メッセージに従って前記短文メッセージの伝送経路を設定する経路設定段階と；
前記移動電話交換機が前記経路設定段階の結果により前記移動端末から伝送された短文メッセージを、前記伝送経路に従って該当する短文メッセージサービスセンターに伝送する最適伝送段階とを含むことを特徴とするＷＣＤＭＡ網における短文メッセージサービスセンターの住所処理方法。
【請求項２】
前記負荷集中判断段階は、
前記運用制御部が前記各短文メッセージサービスセンターから短文メッセージ処理事項の伝送を受けて実時間統計に従う負荷集中が最少の短文メッセージサービスセンターを判断し、新たに伝送される短文メッセージを前記負荷集中が最少の短文メッセージサービスセンターで処理するよう、経路設定変更を要請する運用メッセージを移動電話交換機に伝送する段階を含むことを特徴とする請求項１に記載のＷＣＤＭＡ網における短文メッセージサービスセンターの住所処理方法。
【請求項３】
前記経路設定段階は、前記移動電話交換機が前記運用制御部から伝送される運用メッセージに含まれた住所情報に該当する短文メッセージサービスセンターを最少負荷短文メッセージサービスセンターに設定して前記短文メッセージの伝送経路を設定する段階であり、
前記最適伝送段階では、前記移動交換機が前記移動端末から伝送された短文メッセージを、前記伝送経路に従って前記最少負荷短文メッセージサービスセンターに伝送することを特徴とする請求項１に記載のＷＣＤＭＡ網における短文メッセージサービスセンターの住所処理方法。
【請求項４】
前記負荷集中判断段階は、
前記運用制御部が各短文メッセージサービスセンターから伝送される短文メッセージ処理事項に従って実時間に各短文メッセージサービスセンターで処理した短文メッセージ数が相対的に少ない短文メッセージサービスセンターを、最少負荷集中短文メッセージサービスセンターとして判断することを特徴とする請求項２に記載のＷＣＤＭＡ網における短文メッセージサービスセンターの住所処理方法。
【発明の詳細な説明】
【技術分野】
【０００１】
本発明は、汎用移動通信サービス（Universal mobile Telecommunications Service, UMTS）網で短文メッセージサービスセンターのラウティング及び加入者分散のため、３ＧＰＰで定義している端末に貯蔵されている短文メッセージサービスセンター住所値を実際の短文メッセージサービスセンターの住所を用いず、端末の移動局ＩＳＤＮ（ＭＳＩＳＤＮ）値を用いるＩＭＴ−２０００非同期網における短文メッセージサービスセンターの住所処理方法に関する。
【背景技術】
【０００２】
従来において、３ＧＰＰでは端末が短文メッセージ（Short Message）発信時に端末（ＭＳ）から伝達された短文メッセージサービスセンター（Service Center、以下「ＳＣ」と称する）住所を用いて該当ＳＣにメッセージを伝達するよう定義している。ここで端末から伝達されたＳＣ住所はＳＣの固有番号となる。即ち、端末に設けられたＳＣでメッセージを処理する方法である。
【０００３】
このような方法は、短文メッセージサービス（ＳＭＳ）事業者とコア（Core）網事業者が分離されている場合、加入者がＳＭＳ事業者を選択することができるようにする。
即ち、図１に示されたようにＳＣ住所をＳＣ番号に指定する場合、移動端末（ＭＳ，１０）で短文メッセージを発信すれば、前記ＭＳ１０に貯蔵されたＳＣ住所を含んでＭＳＣ／ＳＧＳＮ／ＶＬＲ２０に伝達される（Ｓ１００）。
【０００４】
前記ＭＳＣ／ＳＧＳＮ／ＶＬＲ２０では、該当ＳＣ住所の短文メッセージサービスセンター（以下、ＳＭＳＣという）３０にメッセージ（ＭＡＰ＿ＭＯ＿ＦＯＲＷＡＲＤ＿ＳＨＯＲＴ＿ＭＥＳＳＡＧＥ）を伝達することになる（Ｓ１０２）。この時、伝達されるＳＣ住所はＳＣ番号であり、ＭＳＣ／ＳＧＳＮ／ＶＬＲ２０ではＳＣ番号別に該当ＳＭＳＣ３０のルーティング（rooting）情報を管理する。
【０００５】
前記ＳＭＳＣ３０は短文メッセージ処理動作を行った後、ＭＳＣ／ＳＧＳＮ／ＶＬＲ２０にメッセージ（ＭＡＰ＿ＭＯ＿ＦＯＲＷＡＲＤ＿ＳＨＯＲＴ＿ＭＥＳＳＡＧＥ＿ＡＣＫ）を出力し、ＭＳＣ／ＳＧＳＮ／ＶＬＲ２０はＭＳ１０に短文メッセージ応答（Short Message Ack）を出力して短文メッセージ処理が成功的に終了したことを知らせる（Ｓ１０２〜Ｓ１０３）。
【０００６】
しかし、ＳＭＳ事業者とコア網事業者が同一であり、多数のＳＣを有している事業者の場合に前記の方法は図２に示したように加入者の呼習性上、特定ＳＭＳＣにメッセージが集中する状況が発生することがある。即ち、ＳＣ住所がＳＣ固有の番号である場合、ＳＭＳＣ分散において不均衡がなされることがあり、一つのＳＭＳＣの収容加入者のうち一部を他のＳＭＳＣに収容するよう変更する方法がなくてＳＣ収容に対する予測が困難であり、さらに民願（請願）及び障害発生時に能動的に対処することが難しい問題点があった。
【発明の開示】
【０００７】
従って、本発明は前記のような従来の問題点を解決するため創案されたものであり、短文メッセージセンターのラウティング及び加入者分散のため３ＧＰＰで定義している端末に貯蔵されている電話交換局の住所値を実際の電話交換局の住所を用いず、端末の移動局ＩＳＤＮ（ＭＳＩＳＤＮ）値を用いて網を効率的に用いるようにする方法を提供することにその目的がある。
【０００８】
このような目的を達成するための本発明のＷＣＤＭＡ網における短文メッセージサービスセンターの住所処理方法は、運用制御部が各短文メッセージサービスセンターから短文メッセージ処理事項の伝送を受けて各短文メッセージサービスセンターの負荷集中状態を判断し所定の運用メッセージを発生させる負荷集中判断段階と；移動電話交換機が移動端末から伝送した短文メッセージを受信し、運用メッセージに従って短文メッセージの伝送経路を設定する経路設定段階と；移動電話交換機が経路設定段階の結果により移動端末から伝送された短文メッセージを、伝送経路に従って該当する短文メッセージサービスセンターに伝送する最適伝送段階を含むことを特徴とする。
【発明を実施するための最良の形態】
【０００９】
以下、本発明に係る一実施例の動作過程を添付の図面を参照して詳しく説明すれば、次の通りである。
図３は、本発明を適用するための短文メッセージサービス処理のための網の構成を示した例示図である。
【００１０】
図３に従えば、移動端末（ＭＳ、１０）と；移動電話交換機／パケット交換装置／訪問者位置レジスタ（ＭＳＣ／ＳＧＳＮ／ＶＬＲ、２０）と；複数個の移動電話交換機（Mobile Switching Center、以下「ＭＳＣ」と称する）、ホーム位置登録器（Home Location Register、「ＨＬＲ」と称する）、ＶＭＳ／ＦＭＳ（Voice Mail System／Fax Mail System）、ＩＶＲ（Interactive Voice Response）、その他短文エヌティーティー（Short Message Entity、以下「ＳＭＥ」と称する）等と連係して移動電話加入者が文字形態の短文を着、発信できるようにする付加サービスを提供する複数個の短文サービスセンター（Short Message Service Center、以下「ＳＭＳＣ」と称する）３０と；前記ＳＭＳＣ３０等の短文メッセージ処理事項を実時間統計を介して前記移動電話交換機／パケット交換装置／訪問者位置レジスタ（ＭＳＣ／ＳＧＳＮ／ＶＬＲ、２０）に運用メッセージを出力しメッセージ伝送経路設定変更を制御する運用制御部４０で構成する。
【００１１】
このように構成した本発明に係る一実施例の動作過程を説明すれば、次の通りである。
図５は、本発明に係る短文メッセージサービス発信処理過程を示したフロー図である。
図５に従えば、ＳＣ住所を移動局ＩＳＤＮ（ＭＳＩＳＤＮ）に指定する場合、移動端末（ＭＳ、１０）で短文メッセージを発信すれば、端末に貯蔵されたＳＣ住所が含まれてＭＳＣ／ＳＧＳＮ／ＶＬＲ２０に伝達されるが（Ｓ２００）、前記端末の加入者情報モジュール（Subscriber Information Module、SIM）カードにＳＣ住所が貯蔵され、加入者が短文メッセージを発信すればRelease Protocol（ＲＰ）−DATA内受信地住所（Destination Address、ＤＡ）値にＳＣ住所が含まれて前記ＭＳＣ／ＳＧＳＮ／ＶＬＲ２０に伝達され（Ｓ２００）、この時伝達されるＤＡのフォーマットは図４に示した通りである。
【００１２】
前記図４を参照して簡単に説明すれば、オクテック（Octet）１の値はＤＡの固有値を示し（即ち、ＲＰ−ＤＡＴＡ内でパラメータ別にＩＤがあるが、そのうちＲＰ−ＤＡＴＡの固有ＩＤを示す）、オクテック２はパラメータの全体長さを意味する。オクテック３の１extは常に「１」との意味を有し、type of numberは番号の形態であるが、普通International、national、unknownが主に用いられる。オクテック４からは実際番号を示す。
【００１３】
前記ＭＳＣ／ＳＧＳＮ／ＶＬＲ２０では該当ＳＣ住所のＳＭＳＣ３０にメッセージ（ＭＡＰ＿ＭＯ＿ＦＯＲＷＡＲＤ＿ＳＨＯＲＴ＿ＭＥＳＳＡＧＥ）を伝達し（Ｓ２０１）、伝達されるＳＣ住所は加入者のＭＳＩＳＤＮである。
【００１４】
この時、前記ＭＳＣ／ＳＧＳＮ／ＶＬＲ２０では、ＭＳＩＳＤＮに対していずれのＳＭＳＣに送るべきであるかに対するルーティング情報が必要となり、これは各ＳＭＳＣで短文メッセージ処理事項を実時間に運用制御部４０から受けてＳＭＳＣの負荷集中を判断し（実時間に各短文メッセージサービスセンターで処理した短文メッセージ数が相対的に少ない短文メッセージサービスセンターを、最少負荷集中短文メッセージサービスセンターとして判断する）、この判断結果に従って該当ＳＭＳＣに負荷が集中する場合、最少負荷集中のＳＭＳＣに短文メッセージを伝送する経路を新たに設定するよう運用メッセージを前記ＭＳＣ／ＳＧＳＮ／ＶＬＲ２０に伝送することにより、伝送経路に対する情報（ルーティング情報）を有することになる。
【００１５】
前記ＳＭＳＣ３０は短文メッセージ処理動作を行った後、ＭＳＣ／ＳＧＳＮ／ＶＬＲ２０にメッセージ（ＭＡＰ＿ＭＯ＿ＦＯＲＷＡＲＤ＿ＳＨＯＲＴ＿ＭＥＳＳＡＧＥ＿ＡＣＫ）を出力し、ＭＳＣ／ＳＧＳＮ／ＶＬＲ２０はＭＳ１０に短文メッセージ応答（Short Message Ack）を出力して短文メッセージ処理が成功的に終了したことを知らせる（Ｓ２０２〜Ｓ２０３）。
【００１６】
このようにＳＣ住所がＭＳＩＳＤＮの場合は、図６に示したようにＭＳＣ／ＳＧＳＮ／ＶＬＲ２０で局データ作業を介してＳＭＳＣ３０の加入者収容に対する分散が効率的になされるよう網の構成が可能になる。即ち、加入者の呼習性のためＳＭＳＣ呼試図が不均衡になされることになる場合、ＳＭＳＣの一部加入者等（例えば、市内局番（Prefix）別）に対するルーティング情報を変更することにより、負荷に対する分散もなされるようにする。
【００１７】
例えば、図７に示したようにＭＳＣ／ＳＧＳＮ／ＶＬＲ２０に加入者の市内局番（Prefix）別にＳＭＳＣルーティングを行い、加入者の呼習性上ＳＭＳＣ１に負荷が多くかかる場合が発生すると、図８に示したようにＳＭＳＣ１にルーティングする局番のうち一部をＳＭＳＣ３にルーティングするよう変更して前記ＳＭＳＣ１の負荷を調整することができるようになる。
【００１８】
このように、本発明の属する技術分野の当業者は本発明がその技術的思想や必須的特徴を変更せずに他の具体的形態で実施することができるとのことを理解することができるはずである。それゆえ、以上で記述した実施例等は全ての面で例示的なものであり、限定的なものではないことと理解しなければならない。本発明の範囲は前記の詳細な説明よりは後述する特許請求範囲により示され、特許請求範囲の意味及び範囲、またその等価概念から導き出される全ての変更、または変形された形態が本発明の範囲に含まれるものと解釈されなければならない。
【産業上の利用可能性】
【００１９】
以上で説明したように、本発明のＷＣＤＭＡでの短文メッセージサービス方法は加入者の呼習性上、特定ＳＭＳＣにメッセージが集中する状況が発生してＳＭＳＣ分散において不均衡がなされる場合、一つのＳＭＳＣの収容加入者のうち一部を他のＳＭＳＣに収容するよう変更することにより、ＳＣ収容に対する予測ができ、さらに民願及び障害発生時に能動的に対処し易い効果がある。
【図面の簡単な説明】
【００２０】
【図１】従来の短文メッセージサービス発信処理過程を見せたフロー図。
【図２】従来の短文メッセージサービスセンターの負荷集中を見せた例示図。
【図３】本発明を適用するための短文メッセージサービス処理のための網の構成を見せたブロック図。
【図４】本発明で移動電話交換機（ＭＳＣ）に伝送される受信地住所のフォーマットを見せた例示図。
【図５】本発明に係る短文メッセージサービス発信処理過程を見せたフロー図。
【図６】本発明に係る移動電話交換機（ＭＳＣ）でＭＳＩＳＤＮを参照して短文メッセージサービスセンター（ＳＭＳＣ）へのルーティングを見せた例示図。
【図７】本発明に係る短文メッセージサービスセンターの負荷集中を見せた例示図。
【図８】本発明に係る負荷集中の時、加入者分散のためのルーティングを見せた例示図。
【符号の説明】
【００２１】
10 : 移動端末（ＭＳ）
20 ：移動電話交換機／パケット交換装置／訪問者位置レジスタ
（ＭＳＣ／ＳＧＳＮ／ＶＬＲ）
30 : 短文メッセージサービスセンター（ＳＭＳＣ）
40 : 運用制御部
【図１】
2005536946.tif 000003
【図２】
2005536946.tif 000004
【図３】
2005536946.tif 000005
【図４】
2005536946.tif 000006
【図５】
2005536946.tif 000007
【図６】
2005536946.tif 000008
【図７】
2005536946.tif 000009
【図８】
2005536946.tif 000010
【国際調査報告】
2005536946.tif 000011
2005536946.tif 000012